(57)【要約】      （修正有）【課題】ポケットによる防漏効果が安定的に維持され、且つ良好に湾曲して着用者の身体形状に良好にフィットする吸収性物品を提供すること。【解決手段】生理用ナプキン1は、吸収層及び防漏層を備える吸収性本体10と、該本体10の肌当接面側における両側部それぞれに配された一対のサイドシート6,6とを有している。シート6は、本体10の幅方向中央側に向って凹状をなす第１接合線8、及び第1接合線8の前後に位置し、本体10の長手方向に交差するように延びる第2接合線9で該本体10と接合されており、シート6における第1接合線8と内側縁部との間に、着用時に開口するポケット84が形成されており、第2接合線9は、内側縁部に近い部分と該内側縁部から遠い部分とを交互に有しており、隣り合う内側縁部に近い部分同士間の距離が、第1接合線の長手方向の長さよりも短い。【選択図】図１
2006280765.tif 000002
【特許請求の範囲】
【請求項１】
吸収層及び防漏層を備えた吸収性本体と、該吸収性本体の肌当接面側における両側部それぞれに配された一対のサイドシートとを有する吸収性物品であって、
一対の前記サイドシートは、それぞれ、前記吸収性本体の幅方向中央側に向って凹状をなす第１接合線、及び該第１接合線の前記吸収性本体の長手方向前後に位置し、前記吸収性本体の長手方向に交差するように延びる第２接合線で該吸収性本体と接合されており、
一対の前記サイドシートそれぞれにおける前記第１接合線と内側縁部との間に、着用時に開口するポケットが形成されており、
前記第２接合線は、前記内側縁部に近い部分と該内側縁部から遠い部分とを交互に有しており、隣り合う前記内側縁部に近い部分同士間の距離が、前記第１接合線の長手方向の長さよりも短い吸収性物品。
【請求項２】
一対の前記サイドシートにおける前記第２接合線は、波形形状又はジグザグ形状を有している請求項１記載の吸収性物品。
【請求項３】
前記吸収層は、液透過性の表面シート及び液保持性の吸収体からなり、前記第１接合線及び前記第２接合線それぞれの少なくとも一部が、平面視において前記吸収体と重なっている請求項１又は２記載の吸収性物品。
【請求項４】
前記第１接合線は、前記吸収性物品の排泄部対向部及び該排泄部対向部より後方に位置する後方部にそれぞれ設けられている請求項１〜３の何れかに記載の吸収性物品。
【請求項５】
吸収性物品の厚みが０．５〜３．５ｍｍである請求項１〜４の何れかに記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品において、肌当接面側における両側部に、サイドシート（撥水性不織布等）を用いてポケットを形成する技術が知られている。
【０００３】
例えば、特許文献１には、ウイング部を形成させる液バリヤシートの内側縁部側の一部を、表面シート上に重ねて配置すると共に、該バリヤシートを、その内側縁から離間した位置において表面シートに接合して、バリヤシートと表面シートとの間にポケットを形成した生理用ナプキンが提案されている。
また、特許文献２には、吸収体の長手方向中間部の幅を前後部の幅より狭く形成した吸収性物品であって、その両側部に配するサイド不織布の内側縁形状を、前記吸収体の側縁形状に沿った形状にすると共に、該サイド不織布の内側縁側を表面シートに接着せずに、該サイド不織布と吸収性コアとの間に体液封じ込めポケットを形成したものが提案されている。
【０００４】
【特許文献１】実開平５−５１３２８号公報
【特許文献２】特開２００１−３２７５３５号公報
【発明の開示】
【発明が解決しようとする課題】
【０００５】
しかし、特許文献１記載の生理用ナプキンは、ウイング部の近傍のみにポケットが形成されており、該ポケットは、ウイング部を裏面シートの外面側に折り返すときの引っ張りによって開口させるようにしてある。そのため、ウイング部を有しないナプキンや、ナプキンのウイング部近傍以外に、そのようなポケットを形成することはできない。また、特許文献１記載のポケットは、着用中に押圧されてその全体が潰れたり、部分的に裏返りが生じたりしやすい。
特許文献２記載の吸収性物品のポケットも、その一部を押圧されるとその全体が潰れたり、部分的に裏返りが生じたりしやすい。
【０００６】
更に、従来のサイドシートを備えた生理用ナプキンにおいては、サイドシートをナプキンの長手方向に沿う直線状のヒートシール部によって固定する場合が多く、サイドシートを着用者の身体に沿って滑らかに曲げることができなかったり、ヒートシール部が硬く、肌触りが悪くなる場合があった。
【０００７】
従って、本発明の目的は、ポケットによる防漏効果が安定的に維持され、且つ良好に湾曲して着用者の身体形状に良好にフィットする吸収性物品を提供することにある。
【課題を解決するための手段】
【０００８】
本発明は、吸収層及び防漏層を備えた吸収性本体と、該吸収性本体の肌当接面側における両側部それぞれに配された一対のサイドシートとを有する吸収性物品であって、一対の前記サイドシートは、それぞれ、前記吸収性本体の幅方向中央側に向って凹状をなす第１接合線、及び該第１接合線の前記吸収性本体の長手方向前後に位置し、前記吸収性本体の長手方向に交差するように延びる第２接合線で該吸収性本体と接合されており、一対の前記サイドシートそれぞれにおける前記第１接合線と内側縁部との間に、着用時に開口するポケットが形成されており、前記第２接合線は、前記内側縁部に近い部分と該内側縁部から遠い部分とを交互に有しており、隣り合う前記内側縁部に近い部分同士間の距離が、前記第１接合線の長手方向の長さよりも短い吸収性物品提供することにより、上記目的を達成したものである。
【発明の効果】
【０００９】
本発明の吸収性物品は、着用中、ポケットによる防漏効果が安定的に維持され、且つ良好に湾曲して着用者の身体形状に良好にフィットする。
【発明を実施するための最良の形態】
【００１０】
以下本発明をその好ましい実施形態に基づき図１〜図４を参照しながら説明する。
本発明の吸収性物品の一実施形態としての生理用ナプキン１は、図１及び図２に示すように、液保持性の吸収層１１及び液不透過性の防漏層１３を備え、実質的に縦長の吸収性本体１０と、該吸収性本体１０の肌当接面側における両側部それぞれに配された一対のサイドシート６，６とを有する。また、ナプキン１における吸収層１１は、液透過性の表面シート２及び液保持性の吸収体４とからなり、防漏層１３は、液不透過性の裏面シート３からなる。ナプキン１の両側部には、一対のウイング部７１、７１が設けられている。
本実施形態のナプキン１における一対のサイドシート６、６は、それぞれ、吸収性本体１０の幅方向中央側に向って凹状をなす第１接合線８、及び該第１接合線８の前後に位置し、吸収性本体１０の長手方向に交差するように延びる第２接合線９で該吸収性本体１０と接合されており、一対のサイドシート６、６それぞれにおける第１接合線８と内側縁部６１との間８３に、着用時に開口するポケット８４が形成されている。
【００１１】
本実施形態のナプキン１について、詳述すると、一対のサイドシート６、６は、図１及び図２に示すように、それぞれ、吸収性本体１０の肌当接面側（図２中、上側）における両側部それぞれに、吸収性本体１０の長手方向に沿って配されており、それぞれナプキン１の略全長に亘るように配されている。
【００１２】
サイドシート６は、図２に示すように、ナプキン１の幅方向中央寄りに位置する部分６Ａが、シートの折り返しにより２層とされており、その折り返し部が、サイドシート６の内側縁部６１となっている。内側縁部６１は、ナプキン１の幅方向中央部側に直線状に形成されている。図２では、ナプキン１の左側について説明したが、右側も全く同様に構成されている。後述する図３についても、同様である。
サイドシート６は、このように、折り返し部がナプキン（吸収性物品）の幅方向中央側に位置するように、２層に折り返されていると、装着時にポケットが開口し易くなるので好ましい。
サイドシート６における、前記部分６Ａは、ナプキン１の前後端部において、ヒートエンボス加工により表面シート２と共に裏面シート３に固定されている。他方、サイドシート６における、ナプキン１の幅方向外方側に位置する部分６Ｂは、図示しない接着剤により裏面シート３に接合されており、該部分６Ｂのうち、ナプキン１の周縁部１４に位置する部分は、ヒートエンボス加工により裏面シート３に接合されている。また、表面シート２と裏面シート３とは、ナプキン１の周縁部１４に位置する部分において、ヒートエンボス加工により接合されている。
【００１３】
本実施形態のナプキン１の一対のサイドシート６、６それぞれにおける第１接合線８は、図１に示すように、ナプキン１の排泄部対向部Ａ及び該排泄部対向部より後方に位置する後方部Ｂそれぞれに設けられている（以下、排泄部対向部Ａに設けられている第１接合線を８Ａ、後方部Ｂに設けられている第１接合線を８Ｂともいう）。本ナプキン１のように、ショーツ等の衣類外面に固定するウイング部７１を備えた吸収性物品における排泄部対向部Ａは、その両側部にウイングを有する部分である。
【００１４】
一対のサイドシート６、６は、図１に示すように、それぞれ、第１接合線８Ａ及び第１接合線８Ｂで、該吸収性本体１０に接合されている。第１接合線８Ａ及び第１接合線８Ｂは、それぞれ、吸収性本体１０の長手方向に連続している。吸収性本体の長手方向は、ナプキンやパンティライナー、失禁パッド等においては、装着時に着用者の前後方向と一致する方向であり、本実施形態においては、内側縁部６１と平行な方向である。
本実施形態において、該排泄部対向部Ａに形成されている第１接合線８Ａと後方部Ｂに形成されている第１接合線８Ｂとは、形成されている部位が異なる以外は、同様の構成を有する。以下においては、排泄部対向部Ａの第１接合線８Ａについて主として説明するが、それらの説明は、第１接合線８Ｂについても同様に適用される。
【００１５】
第１接合線８Ａは、図３に示すように、弧状に長手方向に延びており、内側縁部６１に近い部分８１、８１と内側縁部６１から遠い部分８２とを有している。第１接合線８Ａの長手方向の長さＬ１（図３参照）、第１接合線８の内側縁部に近い部分８１と内側縁部から遠い部分８２との離間距離Ｗ１（図３参照以下、揺動幅ともいう）が、Ｌ１＞Ｗ１の関係を満たしていることが好ましい。Ｌ１は製品長に対し１０〜５０％の長さを有しており、Ｗ１は製品幅に対し、３〜３０％の幅を有することが好ましい。ここでいう製品幅とは、ナプキン１における一対のウイング部７１、７１それぞれの前後端部間の幅方向の長さをいう。また、ここでいう「近い」及び「遠い」は、遠い部分に比べて近く、近い部分に比べて遠いという相対的な意味である。
【００１６】
また、第１及び第２接合線は、全体として実質的に連続する一本の接合線であることが好ましい。即ち、第１接合線と第２接合線とは、それぞれ、実質的に連続する接合線であり、且つ第１接合線と第２接合線との間も、実質的に連続していることが好ましい。実質的に連続するとは、本実施形態のような連続する接合線の他に、複数の接合部を、吸収性物品の幅方向と平行な任意の直線を想定した場合に該直線と重ならない部分がないように連続的に配置したものや、微視的にみると非連続の多数の接合部からなるが全体として見れば線状の接合部を形成しているようなものを含む趣旨であり、接合部の互いの一部を重複させるようにして、ナプキンの長手方向に多数配置してなる接合ラインも含む。例えば、図５に示すように、短尺の接合部８５を、互いの一部を重複させるようにして、ナプキンの長手方向に多数配置してなる接合線も実質的に連続する接合線である。但し、接合部８５同士間の最短距離は２ｍｍ以内であることが好ましい。
【００１７】
排泄部対向部Ａに設けられている第１接合線８Ａの長さＬ１（図３参照）は、図１に示すように、ウイング部７１の基部の長さと略同じである。
【００１８】
本実施形態における第１接合線８Ａは、図２に示すように、ヒートエンボス加工により、ナプキン１の幅方向中央寄りに位置する部分６Ａの一部を、表面シート２と接合して形成されている。
第１接合線８Ａは、本実施形態のようにサイドシート６が表面シート２のみと接合されて形成されたもの、又はサイドシート６が表面シート２と共に吸収体にも固定されているが、該吸収体の前記第１接合線相当部分に溝が形成されていないものである場合、吸収性物品が一層柔らかくなり、身体へのフィット性が向上する点で好ましい。
【００１９】
第１接合線８Ａは、サイドシート６を、表面シート２及び吸収体４と共に一体的に圧搾して形成されたものであっても良い。この場合、第１接合線８部分に生じた溝により、液の滲みや拡散が抑制される利点がある。
【００２０】
一対のサイドシート６、６それぞれにおける内側縁部６１と第１接合線８Ａとの間の部分８３（図３参照）は表面シート２に接合されておらず、該部分８３と表面シート２との間にポケット８４が形成されている。該ポケット８４は、図４に示すように、着用時に開口し、その開口したポケット８４に、ナプキンの幅方向へ移動した体液が捕らえられるため、防漏性を向上させることができる。また、見た目にも、幅方向の防漏性が高いことが容易に理解できるため、着用者に安心感を与える点でも好ましい。
【００２１】
更に、第１接合線８は、少なくとも一部が、平面視において吸収体４と重なっていることが、ポケット８４で捕らえた液がスムーズに吸収体に吸収され、防漏性が一層向上するので好ましい。ポケット８４で捕らえた液は、ポケット８４の手前から奥へ移動する間に吸収体４に吸収されるか、もしくは、ポケット８４の奥にたどり着いた後、吸収体側に戻って吸収される。
平面視において吸収体４と重なっているとは、第１接合線８Ａの全体又は一部が、吸収体が配されている領域（図１においては、吸収体の輪郭を示す点線で囲まれた領域）内に存することを意味する。第１接合線８Ａは、揺動幅Ｗ１の一部が、吸収体４と重なっていることが好ましく、前記揺動幅Ｗ１の全体が、吸収体４と重なっていることがより好ましい。本実施形態においては、第１接合線８Ａは、図１に示すように、その全長に亘って前記揺動幅Ｗ１の全体が吸収体４と重なっている。
【００２２】
本実施形態のナプキン１において、第１接合線８Ａの前後には、図１に示すように、それぞれ第２接合線９Ｃ及び第２接合線９Ａが繋がって設けられており、第１接合線８Ｂの前後には、それぞれ第２接合線９Ａ及び第２接合線９Ｂが繋がって設けられている。第１接合線８Ａは、第２接合線９Ａを介して、第１接合線８Ｂと繋がっている。また、第２接合線９Ｃ及び第２接合線９Ａそれぞれは、ナプキン１における一対のウイング部７１、７１それぞれの前後端部の幅方向の中央側に設けられている配置となっている。
一対のサイドシート６、６は、図１に示すように、それぞれ、第２接合線９Ａ、第２接合線９Ｂ及び第２接合線９Ｃで、該吸収性本体１０に接合されている。第２接合線９Ａ、第２接合線９Ｂ及び第２接合線９Ｃは、それぞれ、吸収性本体１０の長手方向に連続している。
【００２３】
第２接合線９Ａは、図３に示すように、内側縁部に近い部分９１と該内側縁部から遠い部分９２とを交互に有するように蛇行しており、より具体的には長手方向に沿ってジグザグ形状を有している。内側縁部に近い部分９１と該内側縁部から遠い部分９２との間は、第２接合線９Ａを形成している接合線が長手方向に交差するように延びて繋がっている。
更に説明すると、第２接合線９Ａは、ナプキン１の幅方向中央側に向けて凸の円弧状部分と、ナプキン１の幅方向中央側に向けて凹の円弧状部分とが交互に連なった形状であり、ナプキン１の長手方向と平行な部分を有していない。また、第２接合線９Ａは、２つの前記凹の円弧状部分を有しており、それぞれ同じ形状であることが好ましい。
【００２４】
第２接合線９Ａにおいて、隣り合う内側縁部に近い部分同士間の距離Ｌ２が、図３に示すように、第１接合線８Ａの長手方向の長さＬ１よりも短くなっている。前記距離Ｌ２は、隣り合う内側縁部に近い部分９１同士において、それぞれの内側縁部に最も近い点同士間の距離を長手方向に沿って測った長さである。
また、第２接合線９Ａの内側縁部に近い部分９１と内側縁部から遠い部分９２との離間距離Ｗ３（図３参照以下、揺動幅ともいう）は、ヒートエンボス加工による第１接合線８Ａのシール幅Ｗ２（図３参照）よりも長いことが好ましい。第１接合線８Ａは所定の幅を有しており、第１接合線８Ａの両側縁は微視的には平行な２本の直線とみなせるので、シール幅Ｗ２は、平行な前記２直線間の距離をいう。
【００２５】
一対のサイドシート６、６それぞれにおける第２接合線９Ａと内側縁部６１との間の部分９３（図３参照）は接合されておらず、該部分９３と表面シート２との間にはポケット９４（以下、小さなポケットともいう。）が形成されている。着用時には図４に示すように、ポケットが開口することが好ましい。
【００２６】
本実施形態における第２接合線９Ａは、第１接合線８Ａと同様に、ヒートエンボス加工により、ナプキン１の幅方向中央寄りに位置する部分６Ａの一部を、表面シート２と接合して形成されている。その他、第２接合線９Ａと吸収性本体１０との接合については、前述した第１接合線８Ａにおける説明が適宜適用される。
【００２７】
更に、第２接合線９Ａは、少なくとも一部が、平面視において吸収体４と重なっていることが、ポケット９４で捕らえた液がスムーズに吸収体に吸収され、防漏性が一層向上するので好ましい。本実施形態においては、第２接合線９Ａは、図１に示すように、その全長に亘って揺動幅Ｗ３全体が吸収体４と重なっている。その他、第２接合線９Ａと吸収性本体１０との重なりについては、前述した第１接合線８Ａにおける説明が適宜適用される。
【００２８】
以上の説明においては、主として第２接合線９Ａについて説明をしたが、特に断らない点については、好ましい構成を含めて第２接合線９Ｂ及び第２接合線９Ｃについても同様である。
【００２９】
一対のサイドシート６、６それぞれにおいて、第２接合線９で形成される小さなポケット９４は、大きなポケット８４の前後にそれぞれ１つ形成されていればよく、複数形成されているのが好ましい。後方部Ｂに第１接合線８Ｂが設けられていない場合には、前方部Ａの第１接合線８Ａの長手方向前後端部からナプキン１の前後端縁まで、第２接合線９の蛇行が繰り返されていてもよい。後方部Ｂに第１接合線８Ｂが設けられている場合には、第１接合線８Ａと第１接合線８Ｂの間に、小さなポケットを少なくとも１つ有していればよいが、複数のポケットであることが好ましく、２〜５個形成されていることが一層好ましい。
第２接合線により形成される小さなポケット９４の領域は、第一接合線の長さＬ１に対し、前後にそれぞれ１０％以上であることが好ましい。ポケット９４の長手方向の長さは、Ｌ１に対し、４％以上であることが好ましい。
本実施形態においては、図１に示すように、排泄対向部Ａと後方部Ｂとに跨っている第２接合線９Ａは、２つの小さなポケット９４、９４を形成しており、前方部Ｃの第２接合線９Ｃは、４つの小さなポケット９４、９４…を形成しており、後方部Ｂの第２接合線９Ｂは、３つの小さなポケット９４、９４、９４を形成している。
【００３０】
本実施形態のナプキン１における第１接合線８Ａの長手方向の長さＬ１は、４０〜１００ｍｍであることが好ましく、第２接合線９Ａの長手方向の長さ（蛇行が繰り返される領域）は、４〜５０ｍｍであることが好ましく、Ｌ１の方が長い方が好ましい。
また、第２接合線９Ａにおける前記距離Ｌ２は、４〜３０ｍｍであることが好ましい。Ｌ２／Ｌ１は、４〜７５％であることが好ましい。
また、第１接合線８Ａの揺動幅Ｗ１は、２〜１５ｍｍであることが好ましく、第２接合線９Ａの揺動幅Ｗ３は、２〜１５ｍｍであることが好ましい。Ｗ１は、Ｗ３と同じであるか、Ｗ３よりも大きいことが好ましい。
【００３１】
本実施形態のナプキン１は、その厚みが０.５〜３．５ｍｍであり、特に１.０〜２．０ｍｍであることが、装着時に違和感が生じにくく、身体の前後方向に沿ってよりフィットし、装着時にポケットが開口しやすくモレ防止性が一層向上するので好ましい。厚みの下限値は、主として装着時のヨレの生じにくさの観点からの下限値である。
【００３２】
ナプキン１（吸収性物品）の厚みは、以下のようにして測定することができる。
＜厚み測定方法＞
製品を平らな場所にシワや折れ曲がりがないように静置し、製品の吸収体が配されている領域の上面に、５ｃＮ／ｃｍ2の荷重をかけ、その状態下での厚みを測定する。ナプキ
ン装着時の装着圧は、身体の部位、個人差、状態（座っている・動いている）等により異なるが、股間部中央域（排泄ポイント付近）では、ショーツ等の衣類を着用する以外に外圧がない状態において、無荷重〜５ｃＮ／ｃｍ2の荷重となるため、この荷重（５ｃＮ／
ｃｍ2）での測定を行なった。本発明における厚みの測定には、ＰＥＡＣＯＣＫ  ＤＩＡ
Ｌ  ＵＰＲＩＧＨＴ  ＧＡＵＧＥＳ  Ｒ５−Ｃ（ＯＺＡＫＩ  ＭＦＧ.ＣＯ.ＬＴＤ.製）
を用いた。このとき、厚み計先端部と製品の間の測定部分にプレート（厚さ５ｍｍ程度のアクリル板）を配置して、荷重が５ｃＮ/ｃｍ2となるようにプレートの大きさを調整する（プレートの形状は、円形もしくは正方形とする）。
【００３３】
サイドシート６の形成材料としては、各種公知の材料を用いることができ、例えば撥水性の不織布や樹脂フィルム製のシートが好ましく用いられる。特に撥水性のエアースルー不織布を用いることが、肌触りのよさと横モレ防止の点から好ましい。サイドシート６としては不織布と樹脂フィルムのラミネート体を用いることもできる。
表面シート２、裏面シート３、及び吸収体４の形成材料としては、生理用ナプキン等の吸収性物品に従来用いられている各種のもの等を特に制限なく用いることができる。
【００３４】
本実施形態のナプキン１について、更に説明すると、図２に示すように、防漏層１３は、液不透過性の裏面シート３からなる。表面シート２は、図１及び図２に示すように、吸収体４の上面の全域を被覆しており、吸収体４の両側縁それぞれから若干延出した位置に直線状の両側縁を有している。裏面シート３は、吸収体４の下面の全域を被覆し、吸収体４の両側縁それぞれから外方に延出した部分を有し、その延出部分が、サイドシート６と共にナプキン１の両側部にサイドフラップ７を形成している。サイドフラップ部７は、排泄部対向部Ａにおいて幅方向外方に大きく延出してウイング部７１を形成している。吸収体４は、略長方形状に形成されており、表面シート２と裏面シート３との間に挟まれた状態で固定されている。
また、本実施形態のナプキン１は、従来のナプキンと同様に、裏面シート３側の面（非肌当接面）に設けられたズレ止め剤（図示省略）により、ショーツ等の衣類の内面に固定して用いられる。
【００３５】
本実施形態のナプキン１によれば、着用時にねじれが生じやすい排泄部対向部Ａに、大きなポケット８４を形成している第１接合線８を有すると共に、その前後に第２接合線９を有するため、ナプキン１にねじれが生じても、第２接合線９が形成する小さなポケット９４が変形して、ナプキン１のねじれが吸収される。そのため、排泄部対向部Ａにおける大きなポケット８４は、ねじれによってつぶされることなく、幅方向に移動した体液を捕らえることができる。更に、ナプキン１は、着用時にはヒップ部にもねじれが生じやすいが、前記後方部Ｂにも、第１接合線８及びその前後に第２接合線９を有しているので、防漏性が一層高められている。
【００３６】
また、ナプキン１は、一対のサイドシート６、６の長手方向の略全長に亘って、それぞれ、複数の第１接合線８及び第２接合線９が連なって設けられており、特に小さなポケット９４を形成している第２接合線９が、配設対向部Ａ、前方部Ｃ及び後方部Ｂの３箇所に設けられているため、長手方向の略全長に亘って規則的にたわまされるので、前後に湾曲し易く、フィット性に優れる。
【００３７】
本実施形態のナプキン１においては、図１に示すように、ナプキン１の幅方向において、複数の第１接合線８及び第２接合線９の全体が、該吸収体４上に形成されている。これにより、体に沿った安定的な吸収面が吸収体４上に形成され、吸収体側部のヨレが防止されて、より効率的な吸収が可能となる。複数の第１接合線８及び第２接合線９の全体が吸収体４上に固定されている形態に代えて、内側縁部６１寄りの一部等、第１接合線８及び第２接合線９それぞれの一部のみが吸収体４上に固定されている形態することもできる。
一対のサイドシート６、６における第１接合線８及び第２接合線９それぞれは、幅方向中央側に凹形状であることがポケットを形成し、着用時にポケットを開口させるので、ナプキン１の横モレの防止性が高められている。
【００３８】
本発明の吸収性物品は、前述した実施形態に制限されることなく、本発明の趣旨を逸脱しない限り適宜変更が可能である。
例えば、本発明の吸収性物品はウイング部を有しないものであっても良い。また、接合ラインは、サイドシートを表面シート・吸収体・バックシート等に超音波シール、高周波シール、接着剤等で接合して形成されたものであっても良い。
本発明の吸収性物品において、第２接合線は、長手方向に交差するように延びていれば良く、蛇行する連続線でなくても良い。第２接合線は、幅方向に平行でない直線が複数形成されていても良いし、蛇行形状が不連続に形成されていても良い。
第１接合線は、一つだけでも良いし、複数個設けられていても良い。複数個設けられている場合には、一つの第１接合線における揺動幅Ｗ１及び長さＬ１が、Ｌ１＞Ｗ１の関係を満たしていれば良く、各第１接合線の間において、揺動幅Ｗ１及び／又は長さＬ１は異なっていても良い。
一つの第２接合線９における前記距離Ｌ２及び揺動幅Ｗ３は、ジグザグ形状の中で異なっていても良い。
本実施形態において、第２接合線は、ジグザグ形状であったが、曲線を有する波形形状でも良い。
【００３９】
また、サイドシート６は、それ自体に伸縮可能な材料を使用したり、その内側縁部６１付近に糸状・帯状の弾性材（例えば糸ゴムや平ゴム）を配置し、該弾性材を内側縁部６１で折り返したサイドシート６で挟み込んだりして、ポケットを形成（開口）し易くしても良い。弾性材を固定する場合、接合ラインにより弾性材を固定しても良く、別途ホットメルト型粘着剤などにより固定しても良い。
【００４０】
また、第１接合線８及び第２接合線９は、その一部が、サイドシートの内側縁部６１から、吸収性本体１０の幅方向中央側に、はみ出していても良い。
サイドシート６は、第１接合線８及び第２接合線９以外の部分において、吸収性本体と接着剤等で接合されていても良いことは云うまでもない。
【００４１】
本発明の吸収性物品は、生理用ナプキン以外に、パンティライナー（おりものシート）、失禁パッド等であっても良い。尚、本発明の吸収性物品におけるポケットは、装着時に開口するものに限られない。
【図面の簡単な説明】
【００４２】
【図１】図１は、本発明の一実施形態としての生理用ナプキンを表面シート側から見た状態を示す平面図である。
【図２】図２は、図１のＩ−Ｉ線拡大断面図である。
【図３】図３は、図１に示す生理用ナプキンにおける排泄対向部及び前方部の接合線の詳細を示す部分拡大平面図である。
【図４】図４は、着用状態においてポケットが開口した状態を示す斜視図である。
【図５】図５は、接合線の他の例を示す図である。
【符号の説明】
【００４３】
１  生理用ナプキン（吸収性物品）
１０  吸収性本体
１１  吸収層
２    表面シート
４    吸収体
１３  防漏層
１４  周縁部
３    裏面シート
６  サイドシート
６１  内側縁部
８  第１接合線
８１  内側縁部に近い部分
８２  内側縁部から遠い部分
８４  ポケット
９  第２接合線
９１  内側縁部に近い部分
９２  内側縁部から遠い部分
９４  ポケット
Ａ  排泄部対向部
Ｂ  後方部
Ｃ  前方部
Ｌ１  第１接合線の長さ
Ｌ２  第２接合線の相隣り合う内側縁部に近い部分９１同士間の距離
Ｗ１  第１接合線の内側縁部に近い部分と内側縁から遠い部分との離間距離（揺動幅）
Ｗ２  第１接合線のシール幅
Ｗ３  第２接合線の内側縁部に近い部分と内側縁から遠い部分との離間距離（揺動幅）
【図１】
2006280765.tif 000003
【図２】
2006280765.tif 000004
【図３】
2006280765.tif 000005
【図４】
2006280765.tif 000006
【図５】
2006280765.tif 000007